(57)【要約】【課題】  位置情報および時刻情報の設定が可能なセキュリティ能力高い携帯または移動可能な情報機器等の盗難防止装置、盗難防止方法を提供する。【解決手段】  携帯または移動可能な装置に設けられる盗難防止装置１であって、現在の時刻情報および位置情報を取得する時刻位置情報取得部２と、予め設定された使用可能な時刻情報および位置情報を設定する設定部４と、前記時刻位置情報取得部２で取得した時刻情報および位置情報と、前記設定部４で設定された時刻情報および位置情報とを比較して異常を判定する時刻位置情報判定部３とを備えたことを特徴とする。【選択図】  図１
2006065377.tif 000002
【特許請求の範囲】
【請求項１】
携帯または移動可能な装置に設けられる盗難防止装置であって、
現在の時刻情報および位置情報を取得する時刻位置情報取得手段と、
予め設定された使用可能な時刻情報および位置情報を設定する設定手段と、
前記時刻位置情報取得手段で取得した時刻情報および位置情報と、前記設定手段で設定された時刻情報および位置情報とを比較して異常を判定する時刻位置情報判定手段と
を備えたことを特徴とする盗難防止装置。
【請求項２】
前記設定手段は、前記装置の使用が許可された位置情報として複数のエリアを設定し、夫々のエリアで許可された使用時間を個々に設定するようにしたことを特徴とする盗難防止装置。
【請求項３】
前記異常判定手段から異常との判定出力があったとき、自盗難防止装置外に知らせる警報手段および通信手段を備えた請求項1に記載の盗難防止装置。
【請求項４】
携帯または移動可能な装置に設けられる盗難防止装置であって、
ＧＰＳの電波を受信して、現在時刻、現在位置の時刻情報および位置情報を取得する時刻位置情報取得手段と、
予め設定された使用可能な時刻情報および位置情報を設定する設定手段と、
前記時刻位置情報取得手段で取得した時刻情報および位置情報と、前記設定手段で設定された時刻情報および位置情報とを比較して異常を判定する時刻位置情報判定手段と
を備えたことを特徴とする盗難防止装置。
【請求項５】
携帯または移動可能な装置の盗難防止方法であって、
予め使用可能な時刻情報および位置情報を設定するステップと、
現在の時刻情報および位置情報を取得するステップと、
前記取得した現在の時刻情報および位置情報と前記予め設定された時刻情報および位置情報とを比較して異常を判定するステップとからなることを特徴とする盗難防止方法。
【発明の詳細な説明】
【技術分野】
【０００１】
本発明は、パソコン等、携帯または移動可能な情報機器の盗難防止装置、盗難防止方法に係り、特に、ＧＰＳ等の移動体通信技術を使用した位置情報、時刻情報による盗難防止装置、盗難防止方法に関する。
【背景技術】
【０００２】
移動体等の物体の追跡、探索を行う測位技術には、ＧＰＳ（Global Positioning System）や携帯端末を用いた無線通技術による測位技術が普及している。
【０００３】
カーナビゲーションシステムでは、ＧＰＳによる測位技術が用いられ、２４基の人口衛星からの電波を地上の受信機で受信して、各衛星からの受信電波の時間差から３角測量法によって経度、緯度、高度を求めている。
【０００４】
このＧＰＳシステムにおけるＧＰＳ電波を受信して、テーマパークなどにおいて貸し出されるデジタルカメラなどの携帯物品が所定の領域外に持ち出されたことを防止するデジタルカメラと一体になった盗難防止装置がある(例えば、特許文献1参照。)。
【０００５】
また、屋外に設置される装置等においては、装置に設けられたセキュリティ処理装置ごと盗まれる場合も想定されることから、屋外で使用される場合にも不正な攻撃から保護するためのＧＰＳシステムを利用したセキュリティ処理装置がある(例えば、特許文献２参照。)。
【０００６】
このセキュリティ処理装置の構成を図４に示す。このセキュリティ処理装置１１は、衛星１００からのＧＰＳ電波を受信するＧＰＳアンテナ１３とそのＧＰＳ受信ユニット１４とを用いて、セキュリティ処理装置１１の現在の位置情報を周期的に取得し、この現在の位置情報をメモリ１７に記憶し、ＣＰＵ１６によって、予め外部補助記憶装置１８に登録された設置時の位置情報と取得した位置情報とを比較して、不一致と判定した場合には、通信装置１９を介して監視装置に通報するとともに、外部記憶装置１８に記憶されたセキュリティに関する全ての情報を消去して、情報の漏洩を防止しようとするものである。
【０００７】
尚、ＩＣカードＲ／Ｗ２０は、設置時の位置情報の登録、保守作業のために使用されるＩＣカードであるとされている。
【特許文献１】特開２０００−１５５８７８号公報
【特許文献２】特開２００２−２３６６１９号公報
【発明の開示】
【発明が解決しようとする課題】
【０００８】
上述した特許文献1および特許文献２に照会された位置情報は、ＧＰＳシステムからの位置情報を利用し、保護しようとする装置が、予め登録されたエリアから逸脱した場合に警報を出す点においては共通で、特許文献２のセキュリティ処理装置においては、更に、許可されたエリアを逸脱したと判定された場合に、搭載されたセキュリティ情報を自己破壊する自己破壊処理手段を備えている。
【０００９】
しかしながら、セキュリティ情報を搭載した装置においては、同じエリア内において、十分な時間が与えられた条件下で解析が行われた場合には、取得した位置情報からは異常が検知されないため、当該装置のセキュリティ情報が漏洩する問題がある。
【００１０】
本発明は上記問題点を解決するためになされたもので、パソコン等、携帯または移動可能な情報機器等の盗難防止装置、盗難防止方法に係り、特に、ＧＰＳ等の移動体通信技術を使用して、予め使用可能な条件として位置情報だけでなく、該当する装置の使用が許可される時刻情報も設定しておき、更にセキュリティ能力を高めた携帯または移動可能な情報機器等の盗難防止装置、盗難防止方法を提供することを目的とする。
【課題を解決するための手段】
【００１１】
上記目的を達成するために、本発明に係る請求項１の盗難防止装置は、携帯または移動可能な装置に設けられる盗難防止装置であって、現在の時刻情報および位置情報を取得する時刻位置情報取得手段と、予め設定された使用可能な時刻情報および位置情報を設定する設定手段と、前記時刻位置情報取得手段で取得した時刻情報および位置情報と、前記設定手段で設定された時刻情報および位置情報とを比較して異常を判定する時刻位置情報判定手段とを備えたことを特徴とする。
【００１２】
上記目的を達成するために、本発明に係る請求項５の盗難防止方法は、携帯または移動可能な装置の盗難防止方法であって、予め使用可能な時刻情報および位置情報を設定するステップと、現在の時刻情報および位置情報を取得するステップと、前記取得した現在の時刻情報および位置情報と前記予め設定された時刻情報および位置情報とを比較して異常を判定するステップとからなることを特徴とする。
【発明の効果】
【００１３】
したがって、本発明によれば、現在時刻、現在位置の時刻情報および位置情報を取得する時刻位置情報取得手段と、予め設定された使用可能な時刻情報および位置情報を設定する設定手段と、前記時刻位置情報取得手段で取得した時刻情報および位置情報と、前記時刻位置情報設定手段で設定された使用可能な時刻情報および位置情報とを比較して異常を判定する異常判定手段とを携帯または移動可能な装置に設けるようにしたので、当該装置が許可エリア外に持ち出された場合だけでなく、許可時刻以外で使用される場合の異常も検知されるので、許可エリア内において不正使用がなされた場合であっても警報を発することができるので、更にセキュリティ能力の高い、携帯または移動可能な装置の盗難防止装置、盗難防止方法が提供できる。
【発明を実施するための最良の形態】
【００１４】
以下図面を参照して、本発明の実施例を説明する。
【実施例１】
【００１５】
本発明による実施例１について図１および図２を参照して説明する。図１は、保護しようとする装置に一体で搭載される盗難防止装置１の構成図である。盗難防止装置１は、時刻位置情報取得部２、時刻位置情報判定部３、予め該当する装置の使用が許可されるエリア(以後、許可エリアと言う)を示す位置情報と、使用が許可される時間帯(以後、許可時刻と言う)を示す時刻情報が設定される設定部４、およびこれらの電源部５とから構成される。
【００１６】
次に、時刻位置情報取得部２は、衛星１００からの衛星電波を受信するＧＰＳアンテナ２ａと、受信した電波から時刻情報および位置情報を求めるＧＰＳ受信装置２ｂとから構成される。
【００１７】
また、時刻位置情報判定部３は、受信した現在の位置情報および時刻情報と、設定部４に、予め設定された許可エリア、許可時刻を定義する位置情報および時刻情報とを比較して、夫々が許可された範囲内であるか否かを判定する判定部３ａと、判定部３ａで判定された出力から、許可された範囲を逸脱した場合に外部の監視システム２００等に異常情報を送信する警報通信部３ｂとから構成される。
【００１８】
設定部４は、書き換え可能なフラッシュメモリ等で構成され、当該装置の許可エリアである位置情報と、許可エリア毎の許可時刻である時刻情報が対応付けされて記憶される。
【００１９】
また、電源部５は通常の使用時には、外部電源３００から供給するようにしているが、外部電源がない場合には、内蔵するバッテリー電源に切り替えて使用するように構成されている。
【００２０】
次に、このように構成された盗難防止装置１の動作について図２を参照して説明する。この盗難防止装置１は、例えば、個人情報などの高度のセキュリティ度が要求される情報を記憶したパソコンに内蔵されたものを想定して説明する。
【００２１】
図２は、盗難防止装置１の判定部３の動作フローを示す。先ず、図示しないパソコン本体の電源が投入されるとこのパソコンのセキュリティに関する設定データが設定部４の図示しないメモリから、判定部３の図示しないワークメモリに転送される（ｓ１）。
【００２２】
この設定データには、少なくともこのパソコンの使用許可条件データである、許可エリアの位置情報、許可時刻の時刻情報が含まれる他、通常の許可された使用者の個人認証データも含まれる。
【００２３】
次に、個人認証データであるＩＤ番号やパスワードのチェックが行われる（ｓ２）。この個人処理で認証されない不正なアクセスであると判定された場合には異常処理（ｓ６）に移る。
【００２４】
個人認証処理でＯＫであると判定されると、時刻位置情報取得部２において周期的に受信処理され、受信した経度、緯度情報から求められる現在の位置情報とその時刻情報がＧＰＳ受信装置２ｂから所定時間の所定の回数分の情報が読み出される（ｓ３）。
【００２５】
次に、読み出された現在の位置情報と時刻情報に無効なデータがないかをチェックする（ｓ４）。
【００２６】
無効なデータがある場合は、なんらかの異常があると判断して異常処理(ｓ６)に移る。この場合の異常処理（ｓ６）は、何らかの不正な処理によるものか、または受信電波エネルギーが微弱である等によって無効となった異常かを判定し、ＧＰＳ電波の受信異常でないと判断した場合には、自動警報を外部に発信する。
【００２７】
次に、無効なデータがないと判断した場合には、時刻位置情報取得部２から取得した現在の位置情報および時刻情報と、設定部４から読み出した許可エリアの位置情報、許可時刻の時刻情報とを比較して、許可エリアの範囲内の位置であるか否か、許可時刻の範囲内であるかが判定される（ｓ５）。
【００２８】
現在の位置情報、時刻情報のいずれかが許可された範囲を逸脱している場合には異常処理に移る（ｓ６）。
【００２９】
許可された範囲内であれば、このパソコンの使用は可能判断しこのパソコンの起動プログラムの動作が開始されが、所定の基本プログラムが読み込まれた後、通常の使用が可能となる（通常処理ｓ７）。
【００３０】
現在の位置情報および時刻情報のいずれかが設定された範囲を逸脱したと判定された場合には、外部に警報を出力する、この警報出力は、使用する監視システムに通信手段を介して自動通報される。
【００３１】
尚、外部電源が投入されない場合には、内蔵のバッテリー電源で盗難防止装置１のみが使用可能としておく。
【００３２】
このように構成された、実施例１によれば、現在の位置情報と時刻情報が許可された範囲を超えた場合には、直ちに外部に警報が出力され、素早い安全対策が可能となる。
【実施例２】
【００３３】
本発明による実施例２について、図３を参照して説明する。図３は、許可エリアＡおよび許可エリアＢと２箇所の許可エリアが設定され、さらに、許可エリアＢ内において精細な許可エリアＢｓを設定する場合を示す図で、実施例１の各部と同一部分は同じ符号で示しその説明を省略する。
【００３４】
実施例２が実施例１と異なる点は、実施例１においては、盗難防止装置１においては、時刻位置情報取得部２としてＧＰＳアンテナ２ａを備え、衛星１００からのＧＰＳ電波を受信して現在の時刻情報、位置情報を求めたが、実施例２においては、ＵＷＢ（Ultra Wideband）を使用した測位システムを使用して、ＧＰＳからの位置情報よりも更に細かな位置情報を求めることができるように構成した点にある。
【００３５】
この場合、詳細な許可エリアＢｓの位置情報を得るためのＵＷＢ基準局７を複数備え、盗難防止装置１にはＧＰＳアンテナ２ａとＵＷＢアンテナ６とを併設する。そして、許可エリアＢ内に盗難防止装置１が入ると。ここからの位置情報はＵＷＢによる測位システムで現在の位置情報を求めるようにする。
【００３６】
このように構成することによって、通常、ＧＰＳの測位システムで得られる、１０ｍ乃至１００ｍ程度の位置情報の精度が、更に、ＵＷＢシステムを使用することによって、建物内においては１０ｃｍ程度まで向上できる。
【００３７】
このように構成することによって、許可エリアＡと許可エリアＢが離れた場所にあり、更に許可エリアＢにおいてより精細な許可エリアを設定することが可能となるので、セキュリティ能力をより高くした盗難防止装置１が提供できる。
【００３８】
なお、本発明は上記の実施例に限定されるものでなく、その主旨を逸脱しない範囲で変形することも可能である。例えば、屋内において、詳細な位置情報を求める場合には、超音波、赤外線、Bluetooth、無線ＬＡＮを使用することも可能で、盗難防止装置１を備える装置の適合したものを使い分けることが可能である。
【図面の簡単な説明】
【００３９】
【図１】本発明に係る実施例１の盗難防止装置の構成図。
【図２】本発明の盗難防止装置の動作フローの説明図。
【図３】本発明に係る実施例２の盗難防止装置の構成図。
【図４】従来のティセキュリティ処理装置の構成図。
【符号の説明】
【００４０】
１  盗難防止装置
２  時刻位置情報取得部
２ａ  ＧＰＳアンテナ
２ｂ  ＧＰＳ受信装置
３  時刻位置情報判定部
３ａ  判定部
３ｂ  警報通信部
４  設定部
５  電源部
６  ＵＷＢアンテナ
７  ＵＷＢ基準局
１１  セキュリティ処理装置
１３  ＧＰＳアンテナ
１４  ＧＰＳ受信装置
１６  ＣＰＵ
１７  メモリ
１８  外部記憶装置
１９  通信装置
２０  ＩＣカードＲ／Ｗ
１００  衛星
２００  監視システム
【図１】
2006065377.tif 000003
【図２】
2006065377.tif 000004
【図３】
2006065377.tif 000005
【図４】
2006065377.tif 000006